(57)【特許請求の範囲】
【請求項１】
ケース内において回転可能に支持されたケーブル巻取用リールと、
当該巻取用リールを中心に公転するケーブル牽引用プーリーと、
前記ケーブル巻取用リールと連動して回転し、当該ケーブル巻取用リールに巻回される長さよりもケーブルを多く引き込むように設定された引き込み用プーリーを有し、
前記ケース内に引き込むケーブルの一端を固定するとともに、
前記引き込み用プーリーによって引き込んだケーブルを前記公転するケーブル牽引用プーリーによって誘導し前記ケーブル巻取用リールに巻き付けるようにしたことを特徴とするケーブル巻取機。
【請求項２】
ケース内において回転可能に支持されたケーブル巻取用リールと、
当該巻取用リールを中心に公転するケーブル牽引用プーリーと、
前記ケーブル巻取用リールと連動して回転し、当該ケーブル巻取用リールに巻回される長さよりもケーブルを多く引き込むように設定された引き込み用プーリーと、
前記ケーブル牽引用プーリーと引き込み用プーリーとの間に介在する補助プーリーを有し、
前記ケース内に引き込むケーブルの一端を固定するとともに、
前記引き込み用プーリーによって引き込んだケーブルを前記補助プーリーを介した後に公転するケーブル牽引用プーリーによって誘導し前記ケーブル巻取用リールに巻き付けるようにしたことを特徴とするケーブル巻取機。
【発明の詳細な説明】
【技術分野】
【０００１】
本発明は、電線等のケーブルを巻き取るケーブル巻取機に関するものである。
【背景技術】
【０００２】
従来より電源コード等のケーブルを巻き取る種々の装置が知られており、当該装置の一例として特許文献１記載のコード巻取器構造がある。当該コード巻取器構造は、巻き取るコードの中間付近にコードリールを配置し、当該コードリールを中心として双方に伸びたケーブルを巻き取るものである。当該コード巻取器構造は、コードの中間付近にコードリールを配置するものであるから装置が邪魔になる場合があった。
また、巻取装置をコードリールの中央付近ではなく端部付近に設けるものとして、特許文献２記載のコード巻取装置がある。しかし、当該コード巻取装置はコードリールに電源側の固定接点と摺接してケーブルに給電する電気的な接点構造が必要であり、既存のケーブルに取り付けて当該ケーブルを巻き取るような使い方には不向きなものであった。
【特許文献１】昭和６３年公開実用新案公報第１０７３７４号公報
【特許文献２】平成５年公開実用新案公報第３１７５７号公報
【発明の開示】
【発明が解決しようとする課題】
【０００３】
本願発明は上記の課題に鑑み発明されたものであって、ケーブルの中央に限らずケーブルの任意の位置に取り付け可能であり、かつケーブルを加工してリールに取り付けるなど手間を必要としないケーブル巻取機を提供することを課題とするものである。
【課題を解決するための手段】
【０００４】
上記課題を解決するために、本願請求項１記載の発明は下記の構成を有する。すなわち、
電線コード、信号線等のケーブルを巻きとるケーブル巻取機であって、
ケーブル巻き取り手段に連動して動作するケーブル引き込み手段を有し、
当該ケーブル引き込み手段が、前記ケーブル巻き取り手段によるケーブルの巻き取り量と比較して多くのケーブルを引き込むようになっていることを特徴とするケーブル巻取機。
【０００５】
また、本願請求項２記載の発明は下記の構成を有する。すなわち、
ケース内において回転可能に支持されたケーブル巻取用リールと、
当該巻取用リールを中心に公転するケーブル牽引用プーリーと、
前記ケーブル巻取用リールと連動して回転し、当該ケーブル巻取用リールに巻回される長さよりもケーブルを多く引き込むように設定された引き込み用プーリーを有し、
前記ケース内に引き込むケーブルの一端を固定するとともに、
前記引き込み用プーリーによって引き込んだケーブルを前記公転するケーブル牽引用プーリーによって誘導し前記ケーブル巻取用リールに巻き付けるようにしたことを特徴とするケーブル巻取機。
【０００６】
また、本願請求項３記載の発明は下記の構成を有する。すなわち、
ケース内において回転可能に支持されたケーブル巻取用リールと、
当該巻取用リールを中心に公転するケーブル牽引用プーリーと、
前記ケーブル巻取用リールと連動して回転し、当該ケーブル巻取用リールに巻回される長さよりもケーブルを多く引き込むように設定された引き込み用プーリーと、
前記ケーブル牽引用プーリーと引き込み用プーリーとの間に介在する補助プーリーを有し、
前記ケース内に引き込むケーブルの一端を固定するとともに、
前記引き込み用プーリーによって引き込んだケーブルを前記補助プーリーを介した後に公転するケーブル牽引用プーリーによって誘導し前記ケーブル巻取用リールに巻き付けるようにしたことを特徴とするケーブル巻取機。
【発明の効果】
【０００７】
本願発明に係るケーブル巻取機は、巻き取り用のリールに対するケーブルの巻き付けを、リールに対して公転するケーブル牽引用のプーリーによって、ケーブルを折り返しながら行うものである。したがって、ケーブルに対するケーブル巻取機の装着位置は、ケーブルの中央のみならず、端部などのように取り付け場所が制限されることなく任意の位置に取り付けて使用することができるという効果を有する。
また、リールによる巻き取り量よりも多くケーブルを引き込む手段を設けているので、ケーブルがリールに対して緩く巻き付けられるようになっている。これによって、ケーブルがリールを締め付けて回転不能に陥るというようなことがなく、円滑にケーブルを巻き取ることができるという効果を有する。
さらに、前記ケーブル牽引用プーリーと引き込み用プーリーとの間に補助プーリー介在させることにより、ケーブル牽引用プーリーに対して安定してケーブルを供給するとともに、ケーブルの絡み等を防止してケーブルの円滑な収容、排出ができるという効果を有している。
【発明を実施するための最良の形態】
【０００８】
以下、発明を実施するための最良の形態について説明する。
図１は本願発明に係るケーブル巻取機の内部構造を部分的に断面図を用いて表した平面図であり、図２は内部構造を表す図１に対応した正面図である。各図において１はケーブル巻取機を表しており、図１はケーブルＣを装着したケーブル巻取機１、図２はケーブルＣを装着していないケーブル巻取機１を表している。
当該ケーブル巻取機１は、蝶番２によって開閉可能に連結された蓋３を有したケース４を有し、当該ケース４内にケーブル巻取用リール（以下「リール」という）５等のケーブル巻き取り手段を設けたものである。リール５は、ケーブルが巻回される中空の円筒部６と当該円筒部６の上下両端に設けた円板状のフランジ７、８を有している。当該リール５は、ケース４の略中央に立設された軸９に対して回転可能に支持されている。また、円筒部６内部には、両端を当該円筒部６内面と前記軸９に固定した巻きバネ１０が収容されており、当該巻きバネ１０に蓄勢された力によってリール５を回転させるようになっている。
【０００９】
また、前記円筒部６の内側面近傍に、前記フランジ７、８によって両端を支持した軸１１が設けられるとともに、当該軸１１近傍の円筒部６を構成する側壁に上下にわたって開口部１２を設けている。さらに軸１１には、前記開口部１２を介して円筒部６の外側面よりも端部を突出させた支持アーム１３が設けられており、当該支持アーム１３の先端にはプーリー１４が回転可能に設けられている。当該プーリー１４は、詳細には後述するように電線等のケーブルを折り曲げながら接触して円筒部６にケーブルを巻き回させるケーブル牽引用のプーリーであり、ケーブルを保持することができるように上下両端にフランジを設けたものとなっている。また、前記プーリー１４を設けた支持アーム１３は、軸１１に沿って上下動することができるようになっている。
【００１０】
また、前記リール５の底部にはタイミングベルト１５と係合させた駆動プーリー２５が設けられており、リール５の回転に伴ってタイミングベルト１５を回動させるようになっている。
当該タイミングベルト１５は、ケース４内の角部に設けた引き込み用プーリー１６と連係されており、当該引き込み用プーリー１６は前記リール５の回転量に対して一定割合の回転量で回転するケーブル引き込み手段となっている。
引き込み用プーリー１６は、対向して配置された回転ポスト１７とともに電線等のケーブルを挟持するようになっており、回転によってケーブルをケース４内に引き込む作用を有しているものである。
そして、当該引き込み用プーリー１６は、リール５の回転によって円筒部６に巻き回されるケーブル長よりも長い量のケーブルを引き込むように、リール５の回転に対して所定の回転比で回転するようになっている。
【００１１】
前記引き込み用プーリー１６および回転ポスト１７を設けたケース４の側壁には、前記蓋３を閉じた際にケース４内外に連通した開口を形成する切り欠き１８が設けられている。すなわち、蓋３を開けることによって切り欠き１８が表出して引き込み用プーリー１６と回転ポスト１７の間にケーブルを挟持させることができ、蓋３を閉じることによって切り欠き１８を側壁に設けた開口とするものである。
また、前記切り欠き１８を設けた側壁１９と対向する位置に配置された側壁２０には、前記切り欠き１８と同様に、ケース４内外を連通させる切り欠き２１が設けられている。当該切り欠き２１は、当該切り欠き２１と前記引き込み用プーリー１６および回転ポスト１７を結ぶ距離が可能な限り最短であり、かつ側壁２０の上端部に設けられることで蓋３を閉じることによって開口となるものである。
そして、切り欠き２１近傍の側壁には、当該切り欠き２１を介してケース４内に引き込まれたケーブルを固定する固定具２２が設けられており、当該固定具２２は任意の位置でケーブルを固定できるようになっている。
【００１２】
また、前記切り欠き２１の近傍であって、かつ当該切り欠き２１と前記切り欠き１８とを結ぶ線とは干渉しない位置に、回転可能に軸支された補助プーリー２３が設けられている。当該補助プーリー２３は、下端をケース４の底面に取り付け上端を蓋体３の内面によって支持された軸２４に対して回転可能となっている。当該補助プーリー２３の形状は前述したプーリー１４とほぼ同一である。
【００１３】
次に、上記のように構成されたケーブル巻取機１の動作を説明する。
図１に示すように、ケーブルＣの一端は固定具２２によって固定され、当該一端の残部は切り欠き２１からケース４の外に出ている。固定具２２によって固定されたケーブルＣは、前記プーリー１４に対してリール５側（内側）から略半周分巻回された後、プーリー２３に対して外側からから略半周分巻回され、さらに引き込み用プーリー１６および回転ポスト１７の間を通って切り欠き１８からケース４の外に出る。図１に示した状態は、ケーブルＣを巻き取る以前の状態を表しているが、この状態で予め巻きバネ１０に回転力を蓄積させておく。なお、図１には記載していないが、巻きバネ１０によって不用意にリール５が回転しないよう、また使用者の意図したタイミングでリール５を回転させることができるようにリール５の回転を制御するストッパー手段を設けてもよい。
【００１４】
図３は、リール５回転の回転によってケーブルＣがどのように巻き取られるのかを表した説明図である。図３（ａ）から  図３（ｂ）の状態までリール５が回転すると、当該リール５の回転軸を中心としてケーブル牽引用のプーリー１４が公転する。この際、プーリー１４によってケーブルＣが牽引されリール５にケーブルＣが巻き付けられていく。この際、リール５に対する巻き付け長さよりも長い量のケーブルが引き込み用プーリー１６および回転ポスト１７によってケース４内に導かれる。したがって、リール５にケーブルＣが巻き付けられるものの、この巻き付けの度合いはかなり緩くなっている。
また、図３（ｂ）から図３（ｃ）の状態も前記と同様であり、リール５の回転に応じて、ケーブルＣが緩く巻き付けられていく。そして、図３（ａ）、図３（ｂ）、図３（ｃ）に至る経緯を見て解るように、リール５が１回転すると略２巻き分のケーブルが巻き取られる。
【００１５】
以上説明したケーブル巻取機１は、リール５に対する巻き付けをケーブル牽引用のプーリー１４によって折り返しながら巻き付ける構造を採用しているため、巻き取ろうとするケーブルの全域に対する任意の位置に取り付けて使用できるものである。
さらに、リール５の回転と連動するとともに、当該リール５による巻き取り量よりも多くケーブルを引き込むように構成された引き込み用プーリー１６（回転ポスト１７）を有しているため、ケーブルがリール５に対して緩く巻き付けられるようになっている。これによって、ケーブルがリール５を締め付けるように巻き付くことがなくリール５が回転不能に陥ることがないようになっている。
【産業上の利用可能性】
【００１６】
本願発明は、電線等のケーブルを巻き取るケーブル巻取機に利用可能である。
【図面の簡単な説明】
【００１７】
【図１】本願発明に係るケーブル巻取機の内部構造を表す平面図である。
【図２】本願発明に係るケーブル巻取機の内部構造を表す正面図である。
【図３】本願発明に係るケーブル巻取機の動作を説明する説明図である。
【符号の説明】
【００１８】
１  ケーブル巻取機
２  蝶番
３  蓋
４  ケース
５  ケーブル巻取用リール
６  円筒部
７、８  フランジ
９  軸
１０  巻きバネ
１１  軸
１２  開口部
１３  支持アーム
１４  プーリー
１５  タイミングベルト
１６  引き込み用プーリー
１７  回転ポスト
１８  切り欠き
１９  側壁
２０  側壁
２１  切り欠き
２２  固定具
２３  補助プーリー
２４  軸
２５  駆動プーリー
【図１】
0004436407.tif 000002
【図２】
0004436407.tif 000003
【図３】
0004436407.tif 000004